(57)【要約】【課題】領域の周縁部を効率よく照光する。【解決手段】一方の面２ａにおける中央部に発光ダイオード７が取り付けられた支持板２と、支持板２の周縁部に沿って平面視帯状（円環状）に配設された導光部材３と、支持板２の一方の面２ａ側に支持板２と対向して配設されると共に、支持板２との対向面が、発光ダイオード７と対向する部位Ａを中心とする内側領域ＲＥ１が発光ダイオード７に向けて突出する円錐面状の曲面で構成されると共に内側領域ＲＥ１を取り囲む外側領域ＲＥ２が二次曲面で構成された複合曲面に形成されて、発光ダイオード７からの光を導光部材３における一方の面２ａ側の部位に集光反射させることにより、導光部材３における支持板２の他方の面２ｂ側の部位を発光させて支持板２の周縁部を照光する反射板１１とを備えている。【選択図】図２
2013092547.tif 000002
【特許請求の範囲】
【請求項１】
一方の面における中央部に発光ダイオードが取り付けられた支持板と、
前記支持板の周縁部に沿って平面視帯状に配設された導光部材と、
前記支持板の前記一方の面側に当該支持板と対向して配設されると共に、当該支持板との対向面が、前記発光ダイオードと対向する部位を中心とする内側領域が当該発光ダイオードに向けて突出する円錐面状の曲面で構成されると共に当該内側領域を取り囲む外側領域が二次曲面で構成された複合曲面に形成されて、当該発光ダイオードから出射される光を前記導光部材における前記一方の面側の部位に集光反射させることにより、当該導光部材における当該支持板の他方の面側の部位を発光させて当該支持板の前記周縁部を照光する反射板とを備えている照光装置。
【請求項２】
前記支持板は、導光材料を用いて前記導光部材と一体的に形成されている請求項１記載の照光装置。
【請求項３】
一方の端部が底板によって閉塞されると共に他方の端部が開口する筐体を備え、
前記底板が前記反射板として形成され、
前記導光部材は、外周面に前記他方の端部の一部が接触する状態で当該他方の端部に嵌め込まれている請求項１または２記載の照光装置。
【請求項４】
前記支持板は平面視円形状に形成され、
前記導光部材は円環状に形成されている請求項１から３のいずれかに記載の照光装置。
【請求項５】
請求項１から４のいずれかに記載の照光装置と、
前記支持板の前記一方の面に取り付けられたアンテナと、
前記アンテナを介して前記非接触型ＩＣカードとデータ通信する処理部とを備えている非接触型データ読み取り装置。
【発明の詳細な説明】
【技術分野】
【０００１】
本発明は、発光ダイオード（ＬＥＤ）から出射された光を反射板で反射すると共に、予め規定された領域に配設された導光部材に照射して導光部材を発光させることにより、この領域を照光する照光装置、およびこの照光装置を使用した非接触型データ読み取り装置に関するものである。
【背景技術】
【０００２】
この種の照光装置として、下記特許文献１に開示されたＬＥＤ面照光装置（以下、単に「照光装置」ともいう）が知られている。この照光装置は、箱体と、合成樹脂材やガラス等で形成されると共に箱体内に収容された反射鏡と、箱体の正面に、反射鏡の前面に位置させて取り付けられた照光板と、反射鏡の底面部に斜めに取り付けられた指向特性を有して強い光を発するＬＥＤとを備えている。この場合、反射鏡の内面には、正面に位置した照光板に対して放物線状の曲面に形成された反射面部が設けられている。また、この反射面部における照光板に対向する位置にある一部が上記した底面部として形成されて、この底面部に取り付けられたＬＥＤから出射された光が、反射面部に照射される。
【０００３】
この照光装置では、指向性を有して強い光を発するＬＥＤを反射鏡の反射面部に、従来のＬＥＤの数よりも少なくして照光板に対して斜めに取り付け、ＬＥＤの周囲に配した放物線状の曲面に形成した反射面部でＬＥＤからの光を反射させて、この反射光で照光板を均一に照光する。この照光装置によれば、ＬＥＤから発せられる光の光路長を長くして、照光板を均一に照光しつつ、ＬＥＤを照光板に接近させて取り付けることができるため、照光装置を薄形に形成することが可能となっている。また、使用するＬＥＤの数を少なくできるため、部品点数の削減によるコスト低減や、発熱量の軽減を図ることについても可能となっている。
【先行技術文献】
【特許文献】
【０００４】
【特許文献１】特開平７−２６３７５３号公報（第３−６頁、第５−７図）
【発明の概要】
【発明が解決しようとする課題】
【０００５】
ところで、上記した従来の照光装置のように照光板全域を均一に照光する構成ではなく、予め規定された領域の周縁部分のみ（例えば、図８に示すように、円形に形成された領域ＲＥａの周縁部ＲＥｂのみ（斜め線のハッチングを付した部位）を帯状（円環状）に発光させたいという要請がある。上記の照光装置を用いてこの要請に応えるためには、箱体６１の正面に取り付けられた照光板６２の外面を、周縁部ＲＥｂのみを残して遮光部材６３（ドットのハッチングを付した部材）でマスキングする構成を採用することが考えられる。
【０００６】
しかしながら、この構成では、箱体６１内に収容されているＬＥＤ６４から発せられた光の多くが遮光部材６３で遮光されるため、照光装置全体としての効率が低下するという解決すべき課題が存在している。
【０００７】
本発明は、かかる課題を解決すべくなされたものであり、領域の周縁部を効率よく照光し得る照光装置およびこの照光装置を使用した非接触型データ読み取り装置を提供することを主目的とする。
【課題を解決するための手段】
【０００８】
上記目的を達成すべく請求項１記載の照光装置は、一方の面における中央部に発光ダイオードが取り付けられた支持板と、前記支持板の周縁部に沿って平面視帯状に配設された導光部材と、前記支持板の前記一方の面側に当該支持板と対向して配設されると共に、当該支持板との対向面が、前記発光ダイオードと対向する部位を中心とする内側領域が当該発光ダイオードに向けて突出する円錐面状の曲面で構成されると共に当該内側領域を取り囲む外側領域が二次曲面で構成された複合曲面に形成されて、当該発光ダイオードから出射される光を前記導光部材における前記一方の面側の部位に集光反射させることにより、当該導光部材における当該支持板の他方の面側の部位を発光させて当該支持板の前記周縁部を照光する反射板とを備えている。
【０００９】
また、請求項２記載の照光装置は、請求項１記載の照光装置において、前記支持板は、導光材料を用いて前記導光部材と一体的に形成されている。
【００１０】
また、請求項３記載の照光装置は、請求項１または２記載の照光装置において、一方の端部が底板によって閉塞されると共に他方の端部が開口する筐体を備え、前記底板が前記反射板として形成され、前記導光部材は、外周面に前記他方の端部の一部が接触する状態で当該他方の端部に嵌め込まれている。
【００１１】
また、請求項４記載の照光装置は、請求項１から３のいずれかに記載の照光装置において、前記支持板は平面視円形状に形成され、前記導光部材は円環状に形成されている。
【００１２】
また、請求項５記載の非接触型データ読み取り装置は、請求項１から４のいずれかに記載の照光装置と、前記支持板の前記一方の面に取り付けられたアンテナと、前記アンテナを介して前記非接触型ＩＣカードとデータ通信する処理部とを備えている。
【発明の効果】
【００１３】
請求項１記載の照光装置によれば、支持板との対向面が、発光ダイオードと対向する部位を中心とする内側領域が発光ダイオードに向けて突出する円錐面状の曲面で構成されると共に内側領域を取り囲む外側領域が二次曲面で構成された複合曲面に形成された反射板を備えたことにより、１つの発光ダイオードから出射される光を反射板を用いて導光部材における支持板の一方の面側の部位に集光反射させて、導光部材全域を効率よく発光させることができるため、消費電力を抑制しつつ、導光部材における支持板の他方の面側の所望の部位、すなわち支持板の周縁部を全周に亘って効率よく、十分な明るさで照光させることができる。また、この照光装置を備えた請求項５記載の非接触型データ読み取り装置によれば、このようにして効率よく、十分な明るさで導光部材が照光されることにより、ＩＣカードを接近させるべき領域（アンテナが配設された支持板）の周縁部が十分な明るさで照光されるため、ＩＣカードを接近させるべき領域の位置を明確、かつ確実に認識させることができる。
【００１４】
請求項２記載の照光装置および請求項５記載の非接触型データ読み取り装置では、支持板が導光材料を用いて導光部材と一体的に形成されているため、発光ダイオードからの光が支持板全域にも導光される。したがって、この照光装置および非接触型データ読み取り装置によれば、支持板の他方の面に遮光層を形成する際に、遮光層を形成しない部位を所望の形状で形成することにより、照光される導光部材の内側に、この所望の形状で構成される図柄を表示させることができ、かざすべきＩＣカードの種類などを表示させることができる。
【００１５】
請求項３記載の照光装置では、導光部材は、その外周面に筐体の他方の端部の一部が接触する状態で、筐体の他方の端部に嵌め込まれている。したがって、例えば、この照光装置をデータ読み取り装置のケースに形成された取付孔に取り付けて使用した際に、導光部材に集光反射させられた発光ダイオードの光のうちの導光部材を通過してケースに形成された取付孔の口縁部位に達する光の量を大幅に低減することができ、これにより、ケースの取付孔の口縁部位で反射された光（ケースの部材色）が導光部材に入光することによって導光部材の照光色（発光色）が濁る（発光ダイオードの発光色と相違する色になる）程度を大幅に低減することができる。
【００１６】
請求項４記載の照光装置および請求項５記載の非接触型データ読み取り装置によれば、支持板が平面視円形状に形成され、導光部材が円環状に形成されているため、支持板の一方の面における中央部に取り付けられた１つの発光ダイオードから照射された光を反射板によって導光部材全域に極めて均一に集光反射させることができることから、導光部材を極めて均一に照光することができる。
【図面の簡単な説明】
【００１７】
【図１】照光装置１の平面図である。
【図２】図１におけるＷ１−Ｗ１線断面図である。
【図３】図２における導光部材３と反射板１１との嵌合部分の要部拡大図である。
【図４】照光装置１を使用した非接触型データ読み取り装置２１の構成図である。
【図５】他の照光装置４１の平面図である。
【図６】図５のＷ２−Ｗ２線断面図である。
【図７】図５のＷ３−Ｗ３線断面図である。
【図８】従来の照光装置の構成を説明するための斜視図である。
【発明を実施するための形態】
【００１８】
以下、添付図面を参照して、照光装置１および非接触型データ読み取り装置２１の実施の形態について説明する。
【００１９】
まず、照光装置１の構成について図面を参照して説明する。なお、本例では、図４に示す非接触型データ読み取り装置２１（以下、単に「データ読み取り装置２１」ともいう）に使用される照光装置１を例に挙げて説明する。
【００２０】
照光装置１は、図１，２に示すように、支持板２、導光部材３、筐体４、反射層５、回路基板６、発光ダイオード７および遮光層８を備えて構成されている。また、本例では、照光装置１は、データ読み取り装置２１に使用されるため、アンテナ９（本例では一例として、平面アンテナ）を備えている。
【００２１】
支持板２は、一例として平面視円形状（本例ではほぼ真円）で、かつ一定の板厚の板状体（本例では円板）に形成されている。また、本例では一例として、支持板２は、無色透明な合成樹脂（導光材料）で構成されることにより、導光性を有している。導光部材３は、平面視帯状に形成されて、支持板２の周縁部に沿って配設されている。本例では、導光部材３は、図１，２に示すように、支持板２の周縁部に沿って、この周縁部の全周に亘って配設されることにより、全体として円環状に形成されている。
【００２２】
具体的には、導光部材３は、支持板２の径方向に沿った断面形状が図２，３に示すように長方形に形成されて、その厚み（図中の上下方向の長さ）が支持板２の板厚よりも厚く規定されている。また、導光部材３は、その内周面の中間部位において支持板２の外周面と連結されることにより、その下端部が支持板２の一方の面２ａ（図２中の下面）から下方に突出し、かつ、その上端部が支持板２の他方の面２ｂ（図２中の上面）から上方に突出した状態に構成されている。また、本例では一例として、導光部材３は、支持板２と同一の導光材料（無色透明な合成樹脂）で構成されて、支持板２と一体的に形成されている。
【００２３】
筐体４は、図１，２に示すように、支持板２の平面視形状に合わせた平面視形状の箱体（一方の端部（図２中の下端部）が閉塞され、他方の端部（図２中の上端部）が開口された箱体）に形成されている。また、筐体４は、支持板２と一体的に形成された導光部材３がこの開口する他方の端部（後述する側壁１２の他方の端部でもある）に取り付けられている。
【００２４】
本例では、筐体４は、図２に示すように、支持板２の平面視形状に合わせて平面視円形状に形成された底板１１と、この底板１１の周縁部から立設された筒状の側壁１２とを備えて、箱体に形成されている。また、本例では、底板１１および側壁１２は、光を反射させる材料（例えば、白色の合成樹脂材料）を用いて、一体的に形成されている。筐体４の一方の端部としての側壁１２の一方の端部（同図中の下端部）に配設された底板１１は、筐体４の他方の端部としての側壁１２の他方の端部に導光部材３と共に取り付けられた支持板２と側壁１２を挟んで対向すると共に、光を反射する材料で形成されることにより、平面視円形状の反射板として機能する（以下、「反射板１１」ともいう）。
【００２５】
反射板１１の反射面（支持板２との対向面（筐体４の内底面））は、後述するように支持板２の一方の面２ａにおける中央部に取り付けられた１つの発光ダイオード７と対向する部位Ａ（発光ダイオード７の直下の部位）を中心とする内側領域ＲＥ１（本例では平面視円形状の領域）と、内側領域ＲＥ１を取り囲む外側領域ＲＥ２（本例では平面視円環状の領域）とに区分けされて、各領域ＲＥ１，ＲＥ２を構成する曲面が組み合わされた複合曲面に形成されている。具体的には、反射板１１の内側領域ＲＥ１は、部位Ａが発光ダイオード７に向けて突出する円錐面状の曲面として構成されている。また、反射板１１の外側領域ＲＥ２は、二次曲線で構成された二次曲面の一例としての放物面状の曲面（放物線を回転して構成される曲面）として構成されている。
【００２６】
次に、側壁１２における他方の端部への導光部材３の取付構造について説明する。側壁１２の他方の端部の端面（図２，３中の上端面）には、上方に向けて突出する嵌合凸部１２ａ（この他方の端部の一部）が側壁１２の全周に亘って円環状に形成されている。また、このようにして平面視円環状に形成された嵌合凸部１２ａは、その内径が導光部材３の外径よりも若干大径に形成されている。また、嵌合凸部１２ａの突出長は、一例として、導光部材３の厚みよりも短く規定されている。導光部材３は、側壁１２の上端部に、嵌合凸部１２ａの内側に嵌め込まれた状態で、すなわち、下端面が側壁１２の上端面（嵌合凸部１２ａの内周側に位置する上端面）と接触し、かつ外周面が嵌合凸部１２ａの内周面と接触した状態で取り付けられている（例えば、接着されている）。
【００２７】
この構成により、反射板１１は、図２において一点鎖線で示すように、支持板２の中央部に取り付けられた１つの発光ダイオード７から部位Ａを中心として反射板１１の内側領域ＲＥ１全域および外側領域ＲＥ２全域に照射される光を、部位Ａを中心として全方向（３６０度の全角度範囲）に反射させることにより、発光ダイオード７の背面側に位置している円環状の導光部材３における下側部位（導光部材３における支持板２の一方の面側の部位）に対して全方向に亘ってほぼ均一に集光反射させる。これにより、円環状の導光部材３は、下側部位に照射された１つの発光ダイオード７からの光を全域に導光させることにより、支持板２の他方の面側から突出するこの他方の面側の部位（同図中の上側部位）を効率よく発光させる。つまり、支持板２の周縁部が効率よく帯状（本例では円環状）に照光させる。なお、本例では、支持板２が導光材料を用いて導光部材３と一体的に形成されているため、導光部材３の下側部位に反射板１１によって集光反射された発光ダイオード７からの光は、その一部が支持板２側にも導光される。
【００２８】
反射層５は、例えば、白色で、かつ不透明な合成樹脂を用いて、図２，３に示すように、支持板２の一方の面２ａの全域に亘って形成されている。上記したように、導光部材３の下側部位に反射板１１によって集光反射された発光ダイオード７からの光のうちの一部は支持板２側にも導光される。このため、この支持板２側に導光された光で支持板２全域を照光させて使用することも可能であり、この際に、支持板２の一方の面２ａからの光の漏れ出しを防止して、他方の面２ｂから出射させる光量を多くするために、反射層５が配設されている。
【００２９】
回路基板６は、図２に示すように、支持板２の一方の面２ａにおける中央部に、反射層５に固定された取付台６ａを介して、反射板１１に対向する状態で取り付けられている。発光ダイオード７は、回路基板６における反射板１１との対向面に、発光部が反射板１１の部位Ａに向かう状態で取り付けられている。なお、回路基板６は取付台６ａと共に発光ダイオード７を支持板２に取り付けるための取付具として使用されるものであるため、回路基板６および取付台６ａに代えて、ソケットなどを反射層５に固定して、このソケットに発光ダイオード７を装着して支持板２（具体的には反射層５）に取り付ける構成を採用することもできる。
【００３０】
遮光層８は、例えば、白色で、かつ不透明な合成樹脂を用いて、図２，３に示すように、支持板２の他方の面２ｂの全域に亘って形成されている。この構成により、本例では、導光部材３から支持板２に導光された光の支持板２の他方の面２ｂからの漏れ出しを防止して、導光部材３のみが照光される。なお、支持板２の他方の面２ｂに遮光層８を形成する際に、遮光層８を形成しない部位（支持板２が露出する部位）を所望の形状（文字、図形および記号のうちの少なくとも１つで構成される形状）で形成することにより、円環状に照光される導光部材３の内側に、この所望の形状で構成される図柄（マーク）を照光して表示させる構成を採用してもよい。
【００３１】
アンテナ９は、支持板２の一方の面２ａに形成された反射層５上における回路基板６の取付部位を除く部位に取り付けられている。本例では一例として、アンテナ９は、図１，２に示すように、平面視円環状に形成されて、回路基板６を取り囲むようにして、回路基板６の周囲に取り付けられている。
【００３２】
次に、照光装置１を使用した非接触型データ読み取り装置２１（以下、単に「データ読み取り装置２１」ともいう）の構成について図面を参照して説明する。
【００３３】
データ読み取り装置２１は、図４に示すように、ケース２２、照光装置１、処理部２３、送信部２４、受信部２５および電源部２６を備え、非接触型ＩＣカード３１（以下、「ＩＣカード３１」ともいう）と非接触でデータ通信可能に構成されている。
【００３４】
ケース２２は、合成樹脂材料を使用して箱体に形成されて、照光装置１における導光部材３および嵌合凸部１２ａの形状に合わせた平面視形状（本例では円形）の取付孔２２ａが正面に形成されている（図３，４参照）。また、照光装置１は、この取付孔２２ａから支持板２（本例では、支持板２の他方の面２ｂに遮光層８が形成されているため、遮光層８）および導光部材３がケース２２の正面から外方に露出する状態でケース２２の正面の内側に固定されている。
【００３５】
取付孔２２ａの内周面（照光装置１と接する面）は、一例として、図３に示すように、上側領域ＲＥ３の内径が導光部材３の外径よりも若干大径に形成されると共に、下側領域ＲＥ４の内径が嵌合凸部１２ａの外径よりも若干大径に形成されている。この構成により、照光装置１は、取付孔２２ａの内周面における上側領域ＲＥ３が導光部材３の外周面と接触し、取付孔２２ａの内周面における上側領域ＲＥ３と下側領域ＲＥ４との境界面が嵌合凸部１２ａの上面と接触し、取付孔２２ａの内周面における下側領域ＲＥ４が嵌合凸部１２ａの外周面と接触し、かつケース２２の内面における取付孔２２ａの口縁部が側壁１２の上端面（嵌合凸部１２ａの外周側に位置する上端面）と接触した状態で、ケース２２に取り付けられている（例えば、接着されている）。
【００３６】
処理部２３は、一例として、ＣＰＵおよびメモリ（いずれも図示せず）を備えて構成されて、ケース２２内に配設されている。また、処理部２３は、ＩＣカード３１に対するコマンドやデータを送信する送信処理、コマンドに対応してＩＣカード３１から出力されるレスポンスやデータを受信する受信処理、および照光装置１の発光ダイオード７に対する点灯処理を実行する。
【００３７】
送信部２４、受信部２５および電源部２６は、ケース２２内に配設されている。また、送信部２４は、処理部２３から出力されたコマンド等のデータＤ１を入力すると共に、アンテナ９を介してＩＣカード３１に送信する。また、受信部２５は、アンテナ９を介してＩＣカード３１から出力されるレスポンス等のデータＤ２を受信すると共に、処理部２３に出力する。電源部２６は、照光装置１、処理部２３、送信部２４および受信部２５に対して作動用電源を供給する。
【００３８】
続いて、データ読み取り装置２１の動作について、照光装置１の動作と併せて説明する。
【００３９】
データ読み取り装置２１では、処理部２３が、まず点灯処理を実行する。この点灯処理では、処理部２３は、照光装置１に配設された１つの発光ダイオード７に対して駆動信号Ｓ１を出力して、この発光ダイオード７を点灯させる。この場合、発光ダイオード７から反射板１１の内側領域ＲＥ１および外側領域ＲＥ２に照射された光は、部位Ａを中心とする円錐面状の曲面として構成された内側領域ＲＥ１、および二次曲面として構成された外側領域ＲＥ２により、発光ダイオード７の背面側に配置された導光部材３の下側部位に集光反射させられる。これにより、円環状の導光部材３は、下側部位に照射された発光ダイオード７からの光を上側に導光して、ケース２２の取付孔２２ａから露出する上側部位を効率よく、かつ発光むらの極めて少ない状態で発光させる。したがって、この発光する円環状の導光部材３により、ＩＣカード３１を接近させるべき領域（アンテナ９が配設された支持板２）の周縁部が効率よく照光される。つまり、ＩＣカード３１を接近させるべき領域の位置が明確に表示される。
【００４０】
データ読み取り装置２１では、照光装置１がケース２２の正面に形成された取付孔２２ａに取り付けられた状態において、導光部材３の外周面（本例では下側部位の外周面）が、筐体４の他方の端部（側壁１２の他方の端部）の一部としての嵌合凸部１２ａと接触する（嵌合凸部１２ａによって覆われた）構造となっている。これにより、導光部材３に集光反射させられた発光ダイオード７の光のうちの導光部材３を通過してケース２２の取付孔２２ａの口縁部位に達する光の量が大幅に低減されている。このため、ケース２２の取付孔２２ａの口縁部位で反射された光（ケース２２の部材色）が導光部材３に入光することによって導光部材３の照光色（発光色）が濁る（発光ダイオード７の発光色と相違する色になる）程度が大幅に低減されている。
【００４１】
処理部２３は、送信処理を繰り返し実行することにより、ＩＣカード３１に対するコマンド（リクエストコマンド）を含むデータＤ１を送信部２４およびアンテナ９を介して送信する。また、処理部２３は、送信処理の合間に受信処理も繰り返し実行する。この状態において、ＩＣカード３１が照光装置１の近傍（具体的には、導光部材３の内側に配設されたアンテナ９の近傍）に移動したとき（データ読み取り装置２１にかざされたとき）には、ＩＣカード３１がこの処理部２３からのコマンドに対するレスポンスをデータ読み取り装置２１に送信する。
【００４２】
処理部２３は、受信処理の実行により、このレスポンスを含むデータＤ２をアンテナ９および受信部２５を介して受信したときには、ＩＣカード３１が通信可能な距離に位置していると判別して、送信処理および受信処理を交互に繰り返すことで、ＩＣカード３１と必要なデータの交信を行い、この交信の完了後に、このＩＣカード３１との交信を停止させる。
【００４３】
この照光装置１では、支持板２の一方の面２ａ側に支持板２と対向して配設された反射板１１の支持板２との対向面が、上記したように、１つの発光ダイオード７と対向する部位Ａを中心とする内側領域ＲＥ１がこの発光ダイオード７に向けて突出する円錐面状の曲面で構成されると共に、内側領域ＲＥ１を取り囲む外側領域ＲＥ２が二次曲面（この例では放物面状の曲面）で構成された複合曲面に形成されている。
【００４４】
したがって、この照光装置１によれば、１つの発光ダイオード７から出射される光を反射板１１を用いて導光部材３における支持板２の一方の面２ａ側の部位（下側部位）に集光反射させて、導光部材３全域を効率よく発光させることができるため、消費電力を抑制しつつ、導光部材３における支持板２の他方の面２ｂ側の所望の部位（上側部位）、すなわち支持板２の周縁部を全周に亘って効率よく、十分な明るさで照光させることができる。また、この照光装置１を備えたデータ読み取り装置２１によれば、このようにして効率よく、十分な明るさで導光部材３が照光されることにより、ＩＣカード３１を接近させるべき領域（アンテナ９が配設された支持板２）の周縁部が十分な明るさで照光されるため、ＩＣカード３１を接近させるべき領域の位置を明確、かつ確実に認識させることができる。
【００４５】
また、この照光装置１では、支持板２が導光材料を用いて導光部材３と一体的に形成されているため、発光ダイオード７からの光は導光部材３全域のみならず、支持板２全域にも導光される。したがって、この照光装置１およびデータ読み取り装置２１によれば、支持板２の他方の面２ｂに遮光層８を形成する際に、遮光層８を形成しない部位を所望の形状で形成することにより、環状に照光される導光部材３の内側に、この所望の形状で構成される図柄を表示させることができ、かざすべきＩＣカード３１の種類などを表示させることができる。
【００４６】
また、この照光装置１では、導光部材３は、その外周面に筐体４の他方の端部（側壁１２の他方の端部）の一部としての嵌合凸部１２ａが接触する状態で、筐体４の他方の端部に嵌め込まれている（嵌合されている）。したがって、この照光装置１をデータ読み取り装置２１に使用した際に、導光部材３に集光反射させられた発光ダイオード７の光のうちの導光部材３を通過してケース２２に形成された取付孔２２ａの口縁部位に達する光の量を大幅に低減することができ、これにより、ケース２２の取付孔２２ａの口縁部位で反射された光（ケース２２の部材色）が導光部材３に入光することによって導光部材３の照光色（発光色）が濁る（発光ダイオード７の発光色と相違する色になる）程度を大幅に低減することができる。
【００４７】
また、この照光装置１によれば、支持板２が平面視円形状に形成され、導光部材３が円環状に形成されているため、支持板２の一方の面２ａにおける中央部に取り付けられた１つの発光ダイオード７から照射された光を反射板１１によって導光部材３全域に極めて均一に集光反射させることができることから、導光部材３を極めて均一に照光することができる。
【００４８】
なお、上記した照光装置１の構成に限定されない。例えば、照光装置１では、支持板２を平面視円形状に形成すると共に、導光部材３の平面視形状を円環状に形成し、かつ筐体４の底板で構成される反射板１１の平面視形状も円形状に形成する構成を採用しているが、円形状に代えて、楕円形状や長円形状（２つの半円形が２つの等しい長さの平行線で接続された図形）など種々の形状とすることもできる。以下では、図５〜図７を参照して、支持板２および反射板１１の平面視形状を長円形状に形成すると共に、導光部材３を長円環状に形成する構成を採用した照光装置４１について説明する。
【００４９】
照光装置４１では、照光装置１の構成と比較して、上記のように支持板２、導光部材３および反射板１１の平面視形状が相違し、これに伴い、アンテナ９の平面視形状が円環状がら長円環状となり、発光ダイオード７の数が増加している（本例では１つから３つに増加している）構成において相違するが、他の構成については照光装置１と同等である。このため、相違する構成についてのみ説明し、同一の構成については同一の符号を付して重複する説明を省略する。
【００５０】
照光装置４１は、図５，６，７に示すように、支持板４２、導光部材４３、筐体４４、反射層５、回路基板６、発光ダイオード７ａ，７ｂ，７ｃ（特に区別しないときには、「発光ダイオード７」ともいう）および遮光層８を備えて構成されている。また、本例では、照光装置４１は、データ読み取り装置２１に使用されるため、アンテナ４９を備えている。
【００５１】
支持板４２は、一例として平面視長円形状で、かつ一定の板厚の板状体に形成されている。また、支持板４２は、導光材料で構成されて、導光性を有している。導光部材４３は、平面視帯状に形成されると共に、支持板４２の周縁部に沿ってこの周縁部の全周に亘って配設されることにより、全体として長円環状に形成されている。なお、導光部材４３の形成材料、断面形状、および支持板４２との連結構造については、照光装置１の導光部材３と同一となっている。
【００５２】
筐体４４は、筐体４の底板１１（反射板１１）および側壁１２にそれぞれ対応する底板５１（反射板５１）および側壁５２とを備えて、支持板４２の平面視形状に合わせた平面視長円形状の箱体（一方の端部（図６中の下端部）が閉塞され、他方の端部（図６中の上端部）が開口された箱体）に形成されている。したがって、反射板５１の平面視形状は、支持板４２の平面視形状と同じ長円形状に形成されている。
【００５３】
具体的には、筐体４４は、図５，７に示すように、長さ方向（同図中の左右方向）に沿って、平面視半円形状の半円部材４４ａ，４４ｂと、各半円部材４４ａ，４４ｂ同士を連結する平面視方形状の方形部材４４ｃとで構成されている。本例では、各半円部材４４ａ，４４ｂは、照光装置１の筐体４を、反射板１１における部位Ａ（内側領域ＲＥ１の中心）を含む平面で２つに切断して得られる平面視半円形状の各半円部材で構成されている。また、方形部材４４ｃは、半円部材４４ａ，４４ｂにおける部位Ａ（筐体４での中心）を含む切断面（図６参照）を、この切断面に対して直交する方向に直線移動させて得られる形状の板状部材で構成されている。
【００５４】
この構成により、図７に示すように、各半円部材４４ａ，４４ｂにおける筐体４４の底板５１（反射板５１）となる部位の支持板４２との対向面（反射面）は、反射板１１と同様にして、部位Ａを中心とする内側領域ＲＥ１（本例では、平面視半円形状の領域）と、内側領域ＲＥ１を取り囲む外側領域ＲＥ２（本例では、平面視半円環状の領域）とに区分けされる。また、図６に示すように、方形部材４４ｃにおける筐体４４の底板５１（反射板５１）となる部位の支持板４２との対向面（反射面）は、筐体４４の長さ方向と直交する方向に沿って、上記の内側領域ＲＥ１の輪郭線で構成される内側領域ＲＥ５と、上記の外側領域ＲＥ２の輪郭線で構成される外側領域ＲＥ６とに区分けされる。
【００５５】
また、底板１１の周縁部から立設された筒状の側壁５２の他方の端部の端面（図６，７中の上端面）には、上方に向けて突出する嵌合凸部５２ａ（この他方の端部の一部）が側壁５２の全周に亘って長円環状に形成されている。導光部材４３は、嵌合凸部５２ａの内側に嵌め込まれた状態で、すなわち、下端面が側壁５２の上端面（嵌合凸部５２ａの内周側に位置する上端面）と接触し、かつ外周面が嵌合凸部５２ａの内周面と接触した状態で、側壁５２の上端部に取り付けられている。
【００５６】
各発光ダイオード７のうちの発光ダイオード７ａ，７ｂは、図５，７に示すように、支持板４２における反射板５１との対向面（一方の面４２ａ）に、各半円部材４４ａ，４４ｂにおける平面視半円形状となる内側領域ＲＥ１の中心（照光装置１における反射板１１の部位Ａに対応する部位。以下、部位Ａともいう）に対向する状態で（図７では、部位Ａの真上となるように）、回路基板６を介してそれぞれ取り付けられている。一方、各発光ダイオード７のうちの発光ダイオード７ｃは、上記の各部位Ａを接続する方形部材４４ｃにおける稜線部の中央部位に対向する状態で、支持板４２の一方の面４２ａに回路基板６を介して取り付けられている。なお、本例では、方形部材４４ｃに対向して配設される発光ダイオード７ｃは１つであるが、方形部材４４ｃの長さ（各半円部材４４ａ，４４ｂの間隔）がさらに長くなる場合には、必要に応じて発光ダイオード７ｃの数を増加させてもよい。
【００５７】
この構成により、反射板５１は、図７において一点鎖線で示すように、各半円部材４４ａ，４４ｂにおける内側領域ＲＥ１および外側領域ＲＥ２においては、各発光ダイオード７ａ，７ｂから部位Ａを中心として照射される光を、部位Ａを中心として１８０度の角度範囲に反射させることにより、発光ダイオード７の背面側に位置している長円環状の導光部材４３における円弧状の部分の下側部位に対して集光反射させる。
【００５８】
また、図６において一点鎖線で示すように、方形部材４４ｃにおける内側領域ＲＥ５および外側領域ＲＥ６においては、発光ダイオード７ｃから照射される光（なお、図７に示すように、発光ダイオード７ａ，７ｂから照射される光についても）を、上記した稜線部を中心として線対称の位置に位置している方形部材４４ｃにおける各側壁５２の一方の端部方向に反射させることにより、発光ダイオード７の背面側に位置している長円環状の導光部材４３における直線状の部分の下側部位に対して集光反射させる。また、長円環状の導光部材４３は、下側部位に照射された発光ダイオード７からの光を全域に導光させることにより、支持板４２の他方の面４２ｂ側から突出するこの他方の面４２ｂ側の部位（同図中の上側部位）を効率よく発光させる。
【００５９】
したがって、この照光装置４１においても、照光装置１と同様にして、長円環状の導光部材４３が発光するにより、ＩＣカード３１を接近させるべき領域（アンテナ４９が配設された支持板４２）の周縁部が効率よく照光されるため、この照光装置４１およびこの照光装置４１を使用したデータ読み取り装置２１によれば、ＩＣカード３１を接近させるべき領域の位置を明確、かつ確実に認識させることができる。
【００６０】
また、この照光装置４１においても、支持板４２が導光材料を用いて導光部材４３と一体的に形成されているため、発光ダイオード７からの光は導光部材４３全域のみならず、支持板４２全域にも導光される。したがって、この照光装置４１およびデータ読み取り装置２１によれば、支持板４２の他方の面４２ｂに遮光層８を形成する際に、遮光層８を形成しない部位を所望の形状で形成することにより、環状に照光される導光部材４３の内側に、この所望の形状で構成される図柄を表示させることができ、かざすべきＩＣカード３１の種類などを表示させることができる。
【００６１】
また、筐体４４の他方の端部の端面（側壁５２の他方の端部の端面でもある）に形成された嵌合凸部５２ａが導光部材４３の外周面に接触する状態で、導光部材４３が筐体４４に嵌め込まれる構成のため、照光装置１と同様にして、導光部材４３の照光色（発光色）が濁る程度を大幅に低減することができる。
【００６２】
また、上記の照光装置１，４１では、支持板２，４２を導光材料を用いて導光部材３，４３と一体的に形成する構成を採用しているが、支持板２，４２に発光ダイオード７からの光を導光させる必要のない場合には、支持板２，４２を導光部材３，４３と別体に形成した後に連結する構成を採用することもできる。また、筐体４，４４についても、光を反射させる材料を用いて側壁１２，５２を反射板１１，５１と一体的に形成する構成を採用しているが、側壁１２，５２を反射板１１，５１と別体に形成した後に連結する構成を採用することもできる。
【００６３】
また、上記の照光装置１，４１では、導光部材３，４３を環状に照光する構成を採用しているが、例えば、導光部材３，４３の一部の表面に遮光層８を形成したり、反射板１１，５１の一部を光を反射しない構成にしたりすることにより、導光部材３，４３を互いに分離された複数の弧状や直線状に照光する構成を採用することもできる。
【符号の説明】
【００６４】
１、４１  照光装置
２，４２  支持板
２ａ，４２ａ  一方の面
３，４３  導光部材
７  発光ダイオード
１１，５１  反射板
【図１】
2013092547.tif 000003
【図２】
2013092547.tif 000004
【図３】
2013092547.tif 000005
【図４】
2013092547.tif 000006
【図５】
2013092547.tif 000007
【図６】
2013092547.tif 000008
【図７】
2013092547.tif 000009
【図８】
2013092547.tif 000010